(57)【要約】【課題】表示特性の低下を低減しつつ、機械的強度に優れた表示装置、この表示装置を効率よく製造可能な表示装置の製造方法、前記表示装置を備えた信頼性の高い電子機器を提供すること。【解決手段】表示装置２０は、基部１の下面に第１の電極３を積層してなる第１の基板１１と、第１の基板１１に対して対向配置され、基部２の上面に第２の電極４を積層してなる第２の基板１２と、第１の基板１１と第２の基板１２との間に設けられた表示層４００と、を有する。このうち表示層４００は、第１の基板１１側に設けられ、白色を呈する粒状物６１０同士を有機バインダーで結着してなる粒状層６１と、繊維６２０同士を有機バインダーで結着してなる繊維層６２と、粒状層６１中の隙間に浸透させるように充填され、正に帯電した粒子Ａを分散媒７に分散してなる分散液１００と、を有する。粒状層６１と繊維層６２との間は接着されているのが好ましい。【選択図】図１
2013145313.tif 000002
【特許請求の範囲】
【請求項１】
表示面側に設けられた第１の基板と、
前記第１の基板に対して対向配置された第２の基板と、
前記第１の基板と前記第２の基板との間に設けられ、正または負に帯電した少なくとも１種の粒子とを含む表示層と、を有し、
前記表示層は、
前記第１の基板側に設けられ、繊維の集合体を含み、内部に前記粒子が進入可能な空間を含む第１の繊維層と、
前記第１の繊維層の前記第２の基板側に設けられ、粒状物の集合体を含む粒状層と、を有することを特徴とする表示装置。
【請求項２】
前記第１の繊維層と前記粒状層との間は、前記粒状層中に前記繊維が食い込むことにより接着されている請求項１に記載の表示装置。
【請求項３】
前記粒子は、前記第１の繊維層の前記空間に保持されることにより、前記粒子の自重による移動が規制される請求項１または２に記載の表示装置。
【請求項４】
前記繊維は、無機物繊維である請求項１ないし３のいずれかに記載の表示装置。
【請求項５】
前記繊維は、導電性を有するものである請求項１ないし４のいずれかに記載の表示装置。
【請求項６】
前記粒状物の構成材料は、樹脂材料を主成分とするものである請求項１ないし５のいずれかに記載の表示装置。
【請求項７】
前記粒状物は、白色を呈している請求項１ないし６のいずれかに記載の表示装置。
【請求項８】
前記第１の繊維層は、前記繊維同士を有機バインダーで結着してなるものである請求項１ないし７のいずれかに記載の表示装置。
【請求項９】
前記粒状層は、前記粒状物同士を有機バインダーで結着してなるものである請求項１ないし８のいずれかに記載の表示装置。
【請求項１０】
前記第１の繊維層と前記粒状層との間は、前記第１の繊維層中または前記粒状層中に含まれる有機バインダーを介して接着されている請求項１ないし９のいずれかに記載の表示装置。
【請求項１１】
前記有機バインダーは、熱可塑性樹脂および熱架橋性樹脂の少なくとも一方を主成分とするものである請求項８ないし１０のいずれかに記載の表示装置。
【請求項１２】
前記表示層は、前記第１の繊維層と前記粒状部との界面において前記繊維と前記粒状物とが混在した混合領域を有する請求項１ないし１１のいずれかに記載の表示装置。
【請求項１３】
前記表示層は、さらに、前記粒子および前記粒状層を囲うよう設けられた隔壁を有しており、
前記第１の繊維層と前記隔壁とが固定されている請求項１ないし１２のいずれかに記載の表示装置。
【請求項１４】
前記表示層は、さらに、前記粒状層の前記第１の繊維層と反対側に設けられ、繊維の集合体を含む第２の繊維層を有する請求項１ないし１３のいずれかに記載の表示装置。
【請求項１５】
第１の基板の一方の面上に、繊維の集合体を含む第１の繊維層を成膜する工程と、
第２の基板の一方の面上に、粒状物の集合物を含む粒状層を成膜する工程と、
前記粒状層の前記粒状物同士の隙間に、正または負に帯電した少なくとも１種の粒子を供給する工程と、
前記第１の繊維層と前記粒状層とが接するように前記第１の基板と第２の基板とを重ね合わせて積層体を得る工程と、
前記積層体を加熱しつつ厚さ方向に加圧することにより、前記第１の繊維層と前記粒状層とを接着する工程と、を有することを特徴とする表示装置の製造方法。
【請求項１６】
請求項１ないし１４のいずれかに記載の表示装置を備えることを特徴とする電子機器。
【発明の詳細な説明】
【技術分野】
【０００１】
本発明は、表示装置、表示装置の製造方法および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
電気泳動ディスプレイは、対向配置された一対の電極と、これらの間に設けられた表示層とを有しており、表示層には、例えば正に帯電する白色粒子と、負に帯電する黒色粒子とを液相分散媒に分散してなる分散液が充填されている。このような電気泳動ディスプレイは、一対の電極間に電圧を印加し、白色粒子および黒色粒子を所望の方向へ泳動させることにより所望の画像を表示するように構成されている。
【０００３】
ところで、このような電気泳動ディスプレイを備えた表示装置を立てかけたとき、すなわち、表示面が鉛直方向と平行になるような姿勢にしたとき、白色粒子や黒色粒子が自重によって鉛直下方に移動するおそれがある。このように粒子が移動すると、表示されている画像が乱れてしまうこととなる。
また、このような表示装置には、白色粒子や黒色粒子の移動空間を画成する隔壁が設けられることが多い。しかしながら、隔壁の配置密度が下がると、相対的に表示装置の剛性が低下することとなる。このため、表示装置を湾曲させたとき等に、表示されている画像が乱されてしまうことが問題となっている。
【先行技術文献】
【特許文献】
【０００４】
【特許文献１】特開２０１０−４４１１４号公報
【発明の概要】
【発明が解決しようとする課題】
【０００５】
本発明の目的は、表示特性の低下を低減しつつ、機械的強度に優れた表示装置、この表示装置を効率よく製造可能な表示装置の製造方法、前記表示装置を備えた信頼性の高い電子機器を提供することにある。
【課題を解決するための手段】
【０００６】
上記目的は、下記の本発明により達成される。
本発明の表示装置は、表示面側に設けられた第１の基板と、
前記第１の基板に対して対向配置された第２の基板と、
前記第１の基板と前記第２の基板との間に設けられ、正または負に帯電した少なくとも１種の粒子とを含む表示層と、を有し、
前記表示層は、
前記第１の基板側に設けられ、繊維の集合体を含み、内部に前記粒子が進入可能な空間を含む第１の繊維層と、
前記第１の繊維層の前記第２の基板側に設けられ、粒状物の集合体を含む粒状層と、を有することを特徴とする。
これにより、表示特性の低下を低減しつつ、機械的強度に優れた表示装置が得られる。また、第１の繊維層内に粒子が進入することにより、粒子が表示面に十分近づくこととなり、粒子が呈する色をより鮮明に表示することができる。
【０００７】
本発明の表示装置では、前記第１の繊維層と前記粒状層との間は、前記粒状層中に前記繊維が食い込むことにより接着されていることが好ましい。
これにより、アンカー効果が発揮され、第１の繊維層と粒状層とが強固に固着する。
本発明の表示装置では、前記粒子は、前記第１の繊維層の前記空間に保持されることにより、前記粒子の自重による移動が規制されることが好ましい。
これにより、例えば表示装置を表示面が鉛直方向と平行になるような姿勢にした場合でも、表示装置に表示される画像等が乱れてしまうのを防止することができる。
【０００８】
本発明の表示装置では、前記繊維は、無機物繊維であることが好ましい。
これにより、繊維は比較的硬度の高いものとなり、第１の繊維層はその空疎な形状を維持し易くなる。その結果、粒子を保持するといった効果を長期にわたって確実に維持することができる。
本発明の表示装置では、前記繊維は、導電性を有するものであることが好ましい。
これにより、第１の繊維層の隅々まで電界が作用し、保持可能な粒子の量が多くなるため、粒子が呈する色が強調して表示されることとなり、高コントラストの表示が可能になる。また、電界が繊維に集中することにより、電界強度をより大きくすることができるので、粒子の泳動性（応答速度等）を高めることができる。
【０００９】
本発明の表示装置では、前記粒状物の構成材料は、樹脂材料を主成分とするものであることが好ましい。
これにより、帯電性が小さく、かつ比較的白色度の高い粒状物が得られる。
本発明の表示装置では、前記粒状物は、白色を呈していることが好ましい。
これにより、背景が白色を呈することとなり、高コントラストの表示が可能になる。
【００１０】
本発明の表示装置では、前記第１の繊維層は、前記繊維同士を有機バインダーで結着してなるものであることが好ましい。
これにより、繊維の集合体は有機バインダーを介して第１の基板に確実に固定される。また、有機バインダーによって第１の繊維層に柔軟性や伸縮性が付与されるので、繊維同士の固定が解除され難くなり、第１の繊維層としての形状を維持し易くなる。その結果、例えば表示装置を湾曲させた場合にも、第１の繊維層は形状追従性に富んだものとなる。
【００１１】
本発明の表示装置では、前記粒状層は、前記粒状物同士を有機バインダーで結着してなるものであることが好ましい。
これにより、粒状物の集合体は有機バインダーを介して第２の基板に確実に固定される。また、有機バインダーによって粒状層に柔軟性や伸縮性が付与されるので、粒状物同士の固定が解除され難くなり、粒状層としての形状を維持し易くなる。その結果、例えば表示装置を湾曲させた場合にも、粒状層は形状追従性に富んだものとなる。
【００１２】
本発明の表示装置では、前記第１の繊維層と前記粒状層との間は、前記第１の繊維層中または前記粒状層中に含まれる有機バインダーを介して接着されていることが好ましい。
これにより、第１の繊維層と粒状層との間を特に強固に接着することができる。
本発明の表示装置では、前記有機バインダーは、熱可塑性樹脂および熱架橋性樹脂の少なくとも一方を主成分とするものであることが好ましい。
これにより、有機バインダーは柔軟性に富んだものとなる。
【００１３】
本発明の表示装置では、前記表示層は、前記第１の繊維層と前記粒状部との界面において前記繊維と前記粒状物とが混在した混合領域を有することが好ましい。
これにより、第１の繊維層が粒状層の表面のみでなく内部にも及ぶため、仮に粒状物が厚さ方向に２個以上重なっている場合、表層以外にある粒状物に対しても繊維を食い込ませることができる。その結果、表示装置の表示特性のさらなる低下防止を図りつつ、機械的強度をより高めることができる。
【００１４】
本発明の表示装置では、前記表示層は、さらに、前記粒子および前記粒状層を囲うよう設けられた隔壁を有しており、
前記第１の繊維層と前記隔壁とが固定されていることが好ましい。
これにより、表示装置の機械的強度をさらに高めることができる。
本発明の表示装置では、前記表示層は、さらに、前記粒状層の前記第１の繊維層と反対側に設けられ、繊維の集合体を含む第２の繊維層を有することが好ましい。
これにより、第１の繊維層中の繊維のみならず、第２の繊維層中の繊維も粒状層に食い込むこととなり、粒状層を両面から固定することができる。その結果、表示装置の表示特性のさらなる低下防止を図りつつ、さらに強固に補強することができる。
【００１５】
本発明の表示装置の製造方法は、第１の基板の一方の面上に、繊維の集合体を含む第１の繊維層を成膜する工程と、
第２の基板の一方の面上に、粒状物の集合物を含む粒状層を成膜する工程と、
前記粒状層の前記粒状物同士の隙間に、正または負に帯電した少なくとも１種の粒子を供給する工程と、
前記第１の繊維層と前記粒状層とが接するように前記第１の基板と第２の基板とを重ね合わせて積層体を得る工程と、
前記積層体を加熱しつつ厚さ方向に加圧することにより、前記第１の繊維層と前記粒状層とを接着する工程と、を有することを特徴とする。
これにより、表示特性の低下を低減しつつ、機械的強度に優れた表示装置を効率よく製造することができる。
本発明の電子機器は、本発明の表示装置を備えることを特徴とする。
これにより、信頼性に優れた電子機器が得られる。
【図面の簡単な説明】
【００１６】
【図１】本発明の表示装置の第１実施形態を示す断面図である。
【図２】図１に示す表示装置の平面図（上面図）である。
【図３】図１に示す表示装置の駆動を説明する断面図である。
【図４】図１に示す表示装置の製造方法を説明する断面図である。
【図５】図１に示す表示装置の製造方法を説明する断面図である。
【図６】本発明の表示装置の第２実施形態を示す断面図である。
【図７】本発明の表示装置の第３実施形態を示す断面図である。
【図８】本発明の表示装置の第４実施形態を示す断面図である。
【図９】本発明の表示装置の第５実施形態を示す断面図である。
【図１０】本発明の表示装置の第６実施形態の壁部を示す平面図である。
【図１１】本発明の表示装置の第６実施形態の壁部を示す平面図である。
【図１２】本発明の電子機器を電子ペーパーに適用した場合の実施形態を示す斜視図である。
【図１３】本発明の電子機器をディスプレイに適用した場合の実施形態を示す図である。
【発明を実施するための形態】
【００１７】
以下、本発明の表示装置、表示装置の製造方法および電子機器を添付図面に示す好適な実施形態に基づいて詳細に説明する。
＜第１実施形態＞
≪表示装置≫
まず、本発明の表示装置の第１実施形態について説明する。
【００１８】
図１は、本発明の表示装置の第１実施形態を示す断面図、図２は、図１に示す表示装置の平面図（上面図）、図３は、図１に示す表示装置の駆動を説明する断面図、図４、５は、図１に示す表示装置の製造方法を説明する断面図である。なお、以下では、説明の都合上、図１、３、４、５中の上側を「上」、下側を「下」として説明を行う。また、図１に示すように、表示装置の平面視にて互いに直交する２方向を「Ｘ方向」および「Ｙ方向」とする。また、図２では、説明の便宜上、基板１１、繊維層６２および粒状層６１の図示を省略している。
【００１９】
図１に示す表示装置（本発明の表示装置）２０は、粒子の泳動を利用して所望の画像を表示する電気泳動表示装置である。この表示装置２０は、表示シート（フロントプレーン）２１と、回路基板（バックプレーン）２２とを有している。
図１に示すように、表示シート２１は、平板状の基部１と基部１の下面に設けられた第１の電極３とを備える基板（第１の基板）１１と、基板１１の下方に設けられ、分散液１００が充填された表示層４００とを有している。このような表示シート２１では、基板１１の上面が表示面１１１を構成している。
【００２０】
一方、回路基板２２は、平板状の基部２と基部２の上面に設けられた複数の第２の電極４とを備える基板（第２の基板）１２と、この基板１２に設けられた図示しない回路とを有している。
回路は、例えば、マトリックス状に配列されたＴＦＴ（スイッチング素子）と、ＴＦＴに対応して形成されたゲート線およびデータ線と、ゲート線に所望の電圧を印加するゲートドライバーと、データ線に所望の電圧を印加するデータドライバーと、ゲートドライバーとデータドライバーの駆動を制御する制御部とを有している。
【００２１】
以下、各部の構成について順次説明する。
（基板）
基部１および基部２は、それぞれ、シート状（平板状）の部材で構成され、これらの間に配置される各部材を支持および保護する機能を有する。各基部１、２は、それぞれ可撓性を有するもの、硬質なもののいずれであってもよいが、可撓性を有するものであるのが好ましい。可撓性を有する基部１、２を用いることにより、可撓性を有する表示装置２０、すなわち、例えば電子ペーパーを構築する上で有用な表示装置２０を得ることができる。
【００２２】
基部１、２が可撓性を有するものとする場合、その構成材料としては、透明性の高いガラスまたは樹脂が挙げられる。前記樹脂としては、ＰＥＴ（ポリエチレンテレフタレート）、ＰＥＮ（ポリエチレンナフタレート）等のポリエステル、ポリエチレン等のポリオレフィン、変性ポリオレフィン、環状オレフィン（ＣＯＰ）、ポリアミド、熱可塑性ポリイミド、ポリエーテル、ポリエーテルエーテルケトン、ポリカーボネート（ＰＣ）、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２３】
基部１、２の平均厚さは、それぞれ構成材料、用途等により適宜設定され、特に限定されないが、可撓性を有するものとする場合、２０μｍ以上５００μｍ以下程度であるのが好ましく、２５μｍ以上２５０μｍ以下程度であるのがより好ましく、５０μｍ以上２００μｍ以下程度であるのがさらに好ましい。これにより、表示装置２０の柔軟性と強度との調和を図りつつ、表示装置２０の小型化（特に薄型化）を図ることができる。
【００２４】
これらの基部１、２の表示層４００側の面、すなわち、基部１の下面および基部２の上面に、それぞれ膜状をなす第１の電極３および第２の電極４が設けられている。本実施形態では、第１の電極３が共通電極とされ、第２の電極４が、Ｘ方向およびＹ方向に千鳥状に分割された個別電極（ＴＦＴに接続された画素電極）とされている。表示装置２０では、１つの第２の電極４と第１の電極３とが重なり合う領域が１つの画素を構成している。
【００２５】
電極３、４の構成材料としては、それぞれ、実質的に導電性を有するものであれば特に限定されず、例えば、金、銀、銅、アルミニウムまたはこれらを含む合金等の金属材料、カーボンブラック、グラフェン、カーボンナノチューブ、フラーレン等の炭素系材料、ポリアセチレン、ポリフルオレン、ポリチオフェンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）、酸化亜鉛（ＺｎＯ）等の導電性酸化物材料のような各種導電性材料が挙げられ、これらのうちの１種または２種以上を組み合わせて用いることができる。
また、電極３、４の平均厚さは、それぞれ、構成材料、用途等により適宜設定され、特に限定されないが、０．０１μｍ以上１０μｍ以下程度であるのが好ましく、０．０２μｍ以上５μｍ以下程度であるのがより好ましい。
【００２６】
ここで、各基部１、２および各電極３、４のうち、表示面１１１側に配置される基部および電極は、それぞれ光透過性を有するもの、すなわち、実質的に透明（無色透明、有色透明または半透明）とされる。本実施形態では、基板１１の上面が表示面１１１を構成するため、少なくとも基部１および第１の電極３は、実質的に透明とされる。これにより、表示装置２０に表示された画像を表示面１１１側から目視により容易に認識することができる。
【００２７】
（封止部）
基板１１と基板１２との間には、それらの縁部に沿って封止部（シール部）５が設けられている。この封止部５により、表示層４００が気密的に封止されている。その結果、表示装置２０内への水分の浸入を防止して、表示装置２０の表示性能の劣化をより確実に防止することができる。
【００２８】
封止部５の構成材料としては、特に限定されず、例えば、アクリル系樹脂、ウレタン系樹脂、オレフィン系樹脂のような熱可塑性樹脂、エポキシ系樹脂、メラミン系樹脂、フェノール系樹脂、シリコーン系樹脂のような熱硬化性樹脂等の各種樹脂材料等が挙げられ、これらのうちの１種または２種以上を組み合わせて用いることができる。
また、封止部５の高さは、特に限定されないが、５μｍ以上５０μｍ以下程度であるのが好ましい。封止部５の高さを前記範囲内にすることにより、電界に応じて粒子Ａが短時間で移動可能になるとともに、非表示状態において粒子Ａが透けて見えるのを防止することができる。
【００２９】
（壁部）
図１および図２に示すように、表示層４００は、その外縁を囲うように設けられた壁部（隔壁）９１と、壁部９１の内側空間に設けられた粒状層６１と、内側空間内に充填された分散液１００とを有している。また、表示層４００は、基板１１の下面に設けられた繊維層（第１の繊維層）６２を有している。
また、壁部９１の表面には、炭化フッ素プラズマ処理等の各種撥水処理が施されているのが好ましい。これにより、後述するように、表示装置２０の製造がより簡単となり、より優れた表示特および信頼性を発揮することができる表示装置２０を得ることができる。
【００３０】
壁部９１の構成材料としては、特に限定されず、例えば、エポキシ樹脂、アクリル樹脂、フェノール樹脂、ユリア樹脂、メラミン樹脂、ポリエステル（不飽和ポリエステル）、ポリイミド、シリコーン樹脂、ウレタン樹脂等の各種熱可塑性樹脂または熱硬化性樹脂が挙げられ、これらのうちの１種または２種以上を混合して用いることができる。
壁部９１の高さは、特に限定されないが、５μｍ以上５０μｍ以下程度であるのが好ましい。壁部９１の高さを前記範囲内にすることにより、電界に応じて粒子Ａが短時間で移動可能になるとともに、非表示状態において粒子Ａが透けて見えるのを防止することができる。
【００３１】
また、壁部９１の平均幅は、壁部９１に要求される機械的強度等を考慮して適宜設定されるが、１μｍ以上５μｍ以下程度であるのが好ましい。そして、壁部９１のアスペクト比（平均高さ／平均幅）は、１〜５０程度であるのが好ましい。
なお、本実施形態では、壁部９１の横断面形状が、幅が基板１２から基板１１側へ向けて漸減する逆テーパー状をなしているが、かかる形状に限定されず、例えば矩形（長方形）であってもよい。
また、壁部９１の横断面形状は、全体にわたって一定でなくてもよく、一部異なる形状であってもよい。この場合、この箇所では内部空間の気密性が低下するため、内部空間に気泡が混入したとき、その気泡を外部に排出することができる。
【００３２】
（粒状層）
表示層４００内には、図１に示すように、その基板１２側に粒状層６１が設けられている。粒状層６１は、粒状物６１０の集合体を含むものである。具体的には、粒状層６１は、粒状物６１０同士を有機バインダーで結着してなるものである。このような粒状層６１には、内部に多くの空間が形成されており、その空間に浸透するように分散液１００が充填されている。
【００３３】
粒状物６１０が呈する色は、分散液１００中に含まれる粒子Ａが呈する色と異なっていればいかなる色でもよいが、淡色であるのが好ましく、白色であるのがより好ましい。粒状物６１０が呈する色は、表示装置２０において粒子Ａが呈する色の背景色を構成する色であることから、その色に比較的白色度の高い色を用いることでコントラストの高い表示が可能になる。
また、粒状層６１は、表面積が大きいことから、その内部または表面に分散液１００を保持するよう作用する。このため、分散液１００中の粒子Ａも保持されることとなり、粒子Ａの自重による沈降と分散媒への拡散を抑制し、粒子Ａが不本意な位置に移動するのを抑制することができる。
【００３４】
一方、粒状層６１は、粒状物６１０の集合体を含んでいることから、内部の空間の内壁面は比較的滑らかである。このため、電極３、４間に電界が作用している場合には、粒子Ａは粒状層６１の内部の空間を容易に通過して電極３、４間を電気泳動する。その結果、電界に応じて多くの粒子Ａが短時間で移動することが可能になるため、高コントラストの表示を高い応答速度で行うことができる。
【００３５】
粒状物６１０の平均粒径は、特に限定されないが、２．５μｍ以上５０μｍ以下程度であるのが好ましく、５μｍ以上２５μｍ以下程度であるのがより好ましい。このような平均粒径の粒状物６１０が集合した場合、粒子Ａを適度に保持することができるので、粒子Ａの自重による不本意な移動を抑制しつつ、電界の作用により粒子Ａを円滑に電気泳動させることができる。また、粒状物６１０間の隙間を介して粒状層６１の裏側の色あるいは粒状層６１内に保持された粒子Ａの色が透けて見えるのを防止することができる。
なお、粒状物６１０の粒径は、粒状層６１の断面の観察像上において、粒状物６１０の投影面積と同じ面積をもつ真円の直径（投影面積円相当径）として測定され、平均粒径は１００個の粒状物６１０について測定された粒径を平均したものとされる。
【００３６】
また、粒状層６１において粒状物６１０は表示装置２０の厚さ方向に１〜６個程度重なっているのが好ましく、２〜３個程度重なっているのがより好ましい。粒状物６１０がこの程度重なっていることにより、粒状層６１の裏側の色が透けて見えるのをより確実に防止することができる。
また、粒状物６１０の平均粒径は、後述する粒子Ａの平均粒径の５倍以上２００倍以下であるのが好ましく、１０倍以上１００倍以下であるのがより好ましい。粒状物６１０と粒子Ａの粒径の大小関係をこのような範囲に設定することにより、粒状層６１内における粒子Ａの通過をより円滑にすることができる。
【００３７】
また、粒状層６１の平均厚さは、特に限定されないが、粒状物６１０の平均粒径の１．１倍以上１０倍以下程度であるのが好ましく、１．５倍以上５倍以下程度であるのがより好ましい。また具体的には、２０〜８０μｍ程度であるのが好ましい。粒状層６１の平均厚さを前記範囲内に設定することにより、表示面１１１から見たときに粒状層６１が呈する色がムラなく見えるようになり、高コントラストの表示が可能になる。また、粒状層６１の裏側にある色が透けて見えるのを防止するので、鮮明な表示が可能になる。一方、粒子Ａが粒状層６１中を通過するのに要する時間を比較的短く抑えることができるので、優れた応答速度を維持することができる。
また、粒状物６１０は、無帯電すなわち実質的に帯電していないものである。このため、後述する粒子Ａとの間には電気的な作用（反発または吸着）が働かない。そのため、粒子Ａを分散媒７中で円滑に移動させることができ、優れた表示特性、特に優れた応答速度を発揮させることができる。
【００３８】
なお、粒状物６１０は、図１に示すように比較的高い密度で表示層４００内に充填されているため、表示層４００内での移動が規制されている。具体的には、粒状層６１は粒状物６１０の集合体を含んでおり、粒状層６１における粒状物６１０の密度（占有率）は好ましくは５０体積％以上８０体積％以下、より好ましくは６０体積％以上７０体積％以下とされる。このような密度であれば、粒状物６１０の移動を規制しつつ、粒状層６１には粒子Ａの通過が可能な隙間が形成されることとなる。また、このような密度に設定することで、粒状層６１に十分な機械的強度が付与されることとなる。これにより、基板１１、１２間の離間距離を一定に維持することができ、例えば表示装置２０を湾曲させたり手指で押圧したりしたときに表示層４００が潰れてしまうのを防止することができる。
【００３９】
粒状物６１０の構成材料としては、例えば、酸化チタン、酸化亜鉛、酸化ジルコニウム、酸化アルミニウム、酸化ケイ素等の各種セラミックス材料、ウレタン樹脂、尿素樹脂、エステル樹脂、エーテル樹脂、ポリエチレン、ポリプロピレン等のオレフィン樹脂、エチレン酢酸ビニル共重合体（ＥＶＡ）、エチレンメタクリル酸メチル共重合体（ＥＭＭＡ）、エチレン環状オレフィン共重合体（ＣＯＣ）等のエチレン共重合体、アクリル樹脂等の各種樹脂材料等が挙げられ、これらのうちの１種または２種以上の混合物が用いられるが、特に樹脂材料が好ましく用いられる。これらの材料は、帯電性が小さく、比較的白色度が高いことから、粒状物６１０の構成材料として好適である。
【００４０】
また、粒状層６１は、粒状物６１０同士を単に寄せ集めたものでもよいが、前述したように、粒状物６１０の一部同士が互いに固定されるよう有機バインダーで結着してなるものが好ましい。なお、有機バインダーは上述した粒状物６１０の表面を覆うことにより、例えば白色度を高める等の効果も奏する。また、有機バインダーは、粒状物６１０の集合物を基板１２に固定する機能も有する。さらには、粒状物６１０の構成材料が硬度の高い材料である場合には、粒状層６１に柔軟性や伸縮性を付与することができるので、粒状物６１０同士の固定が解除され難く、粒状層６１としての形状を維持し易い。そして、表示装置２０を湾曲させた場合にも、粒状層６１は形状追従性に富んだものとなる。
【００４１】
有機バインダーの構成材料としては、比較的軟化し易い材料が好ましく用いられ、例えば、ウレタン樹脂、尿素樹脂、エステル樹脂、エーテル樹脂、ポリエチレンやポリプロピレンのようなオレフィン樹脂、エチレン酢酸ビニル共重合体（ＥＶＡ）やエチレンメタクリル酸メチル共重合体（ＥＭＭＡ）、エチレン環状オレフィン共重合体（ＣＯＣ樹脂）のようなエチレン重合体、アクリル樹脂、ブタジエン系エラストマー等の熱可塑性樹脂、エポキシ樹脂、イソシアネート樹脂、シアノアクリレート樹脂、メラミン樹脂、フェノール樹脂等の熱架橋性樹脂等が挙げられ、これらのうちの１種または２種以上の混合物を主成分としたものが用いられる。このような有機バインダーは、柔軟性に富んだものとなる。
【００４２】
なお、有機バインダーの副成分としては、例えば、可塑剤、滑剤、酸化防止剤、分散剤等が必要に応じて添加される。
また、有機バインダーの２５℃における弾性率は、０．０１ＭＰａ以上１０００ＭＰａ以下であるのが好ましく、０．１ＭＰａ以上５００ＭＰａ以下であるのがより好ましい。これにより、粒状層６１に十分な柔軟性と伸縮性とを付与することができる。
【００４３】
また、粒状物６１０は、中空構造のものでもよい。このような粒状物６１０を用いることにより、中空部において光を散乱させ、例えば粒状物６１０が白色を呈している場合にはその白色度を高めることができる。また、中空構造であれば、粒状物６１０に十分な柔軟性を付与することができるので、粒状層６１に隣接する繊維層６２を構成する繊維が損傷し難くなる等の利点もある。
また、粒状物６１０は、自然状態であっても、厚さ方向に圧縮された状態であってもよい。
【００４４】
（繊維層）
表示層４００内には、図１に示すように、その基板１１側に繊維層（第１の繊維層）６２が設けられている。繊維層６２は、繊維６２０の集合物を含むものである。具体的には、繊維層６２は、繊維６２０同士を有機バインダーで結着してなるものである。このような繊維層６２には、内部に多くの空間が形成されており、その内部に浸透するように分散液１００が充填されている。
【００４５】
また、繊維層６２は、表面積が大きいことから、その内部または表面に分散液１００中の粒子Ａが進入し、かつその位置で保持され易い。粒子Ａが繊維層６２中に進入し、かつ保持されることにより、粒子Ａは表示面１１１に十分近づくとともに、粒子Ａが繊維層の厚さ分だけ積み重なって堆積することができる。このため、粒子Ａが多層に堆積した分だけ隠ぺい性が向上し、呈する色を鮮明に表示することができる。また、粒子Ａが保持されることにより、粒子Ａの自重による沈降が抑制され、粒子Ａが不本意な位置に移動するのを抑制することができる。その結果、例えば表示面１１１が鉛直方向と平行になるような姿勢にした場合でも、表示装置２０に表示される画像等が乱れてしまうのを防止することができる。
【００４６】
また、繊維層６２は、繊維６２０の集合物を主とするものであるため、密度（占有率）が低く可視光を透過しやすい。このため、後述する粒子Ａによって形成される画像を繊維層６２越しに見たとき、その画像が乱され難くなる。よって、鮮明な表示が可能になる。
なお、上記理由から、繊維６２０が呈する色は、透明または粒状物６１０が呈する色と同系統の色であるのが好ましく、特に透明であるのがより好ましい。
【００４７】
また、繊維層６２は、上記のような機能に加え、粒状物６１０が基板１１の下面に接近する、または接するのを防止する機能も有する。仮に、粒状物６１０が基板１１に接近または接してしまうと、粒子Ａによって形成される画像を乱してしまい、鮮明な表示ができなくなる。また、表示において、粒状物６１０の接触部分が見えてしまうと粒状物６１０が呈する色が現れ、かつ粒子Ａが呈する色が減少することにより、表示のコントラストが低下することとなる。これに対し、繊維層６２を設けることにより、粒子Ａは繊維層６２中に浸透することで粒状物６１０を全て被覆することができるため、画像の乱れが生じるのを防止することができる。また、粒状物６１０と基板１１との間に繊維層６２が介在することによって、表示における粒状物６１０が呈する色を減少させ、表示のコントラストの低下を抑制することができる。
【００４８】
繊維６２０の平均の繊維長さは、特に限定されないが、１μｍ以上１００μｍ以下程度であるのが好ましく、３μｍ以上８０μｍ以下程度であるのがより好ましい。また、繊維６２０の平均の繊維径も、特に限定されないが、０．０１μｍ以上１μｍ以下程度であるのが好ましく、０．１μｍ以上０．５μｍ以下程度であるのがより好ましい。これにより、構造強度と透明性とを両立することができる。また、繊維６２０の繊維長さおよび繊維径を前記範囲内とすることにより、粒子Ａの保持性を確保しつつ、電界の作用により粒子Ａを円滑に電気泳動させることができる。
【００４９】
なお、繊維６２０の繊維長さおよび繊維径は、繊維層６２の断面の観察像上において、繊維６２０の投影像の最大長さおよび最大径であり、それぞれの平均値は１００個の繊維６２０について測定された繊維長さおよび繊維径を平均したものとされる。
また、繊維径を特に可視光の波長の下限（例えば４００ｎｍ）より短くすることにより、繊維６２０自体が透明でなくても、繊維層６２として透明性を確保することができる。
【００５０】
なお、繊維層６２の平均厚さは、特に限定されないが、０．１μｍ以上２０μｍ以下程度であるのが好ましく、０．２μｍ以上１０μｍ以下程度であるのがより好ましい。繊維層６２の平均厚さを前記範囲内とすることにより、繊維層６２の十分な機械的強度と粒子Ａの十分な保持性とを確保しつつ、繊維層６２に保持された粒子Ａに電界を作用させたとき粒子Ａを円滑に電気泳動させることができる。また、繊維層６２の十分な透明性も確保することができる。すなわち、機械的強度および粒子Ａの保持性と粒子Ａの泳動性および透明性とを高度に両立することができる。
また、繊維層６２は、無帯電すなわち実質的に帯電していないものである。このため、後述する粒子Ａとの間には電気的な作用（反発または吸着）が働かない。そのため、粒子Ａを分散媒７中で円滑に移動させることができ、優れた表示特性、特に優れた応答速度を発揮させることができる。
【００５１】
なお、繊維層６２は繊維６２０の集合体を含んでいるが、繊維層６２における繊維６２０の密度（占有率）は好ましくは５０体積％以上９９体積％以下、より好ましくは６０体積％以上９５体積％以下とされる。このような密度であれば、繊維層６２の機械的強度および粒子Ａの保持性と粒子Ａの泳動性および繊維層６２の透明性とを高度に両立することができる。
さらに、繊維層６２における繊維６２０の密度は、粒状層６１における粒状物６１０の密度より低いのが好ましい。これにより、繊維層６２に保持された粒子Ａに電界を作用させたとき粒子Ａを特に円滑に電気泳動させることができ、かつ、表示層４００が潰れてしまうのを防止することができる。
【００５２】
繊維６２０には、例えば、樹脂繊維のような有機物繊維、ガラス繊維、セラミックス繊維、カーボン繊維、金属繊維のような無機物繊維等が単独または複数種の混合物として用いられる。このうち、樹脂繊維としては、例えば、ポリエチレン繊維、ポリエステル繊維、ビニロン繊維、ナイロン繊維、アクリル繊維等が挙げられる。また、ガラス繊維としては、例えば、ホウケイ酸ガラス繊維、石英ガラス繊維等が挙げられる。また、セラミックス繊維としては、例えば、チタン酸カリウム繊維、酸化スズ繊維、アルミナ繊維、シリカ繊維等が挙げられる。また、カーボン繊維としては、ＰＡＮ系炭素繊維、カーボンナノチューブ等が挙げられる。また、金属繊維としては、例えば、アルミニウムウィスカー、銀ウィスカー等が挙げられる。
【００５３】
なお、繊維６２０としては特に無機物繊維が好ましく用いられる。無機物繊維は比較的硬度が高いため、繊維層６２はその空疎な形状を維持し易くなる。そのため、前述した繊維層６２が奏する効果を長期にわたって確実に奏し得る表示装置２０が得られる。
また、繊維層６２は、繊維６２０同士を単に寄せ集めたものでもよいが、繊維６２０同士が互いに固定されるよう一部の繊維接触部分を有機バインダーで結着してなるものが好ましい。なお、有機バインダーは、繊維６２０の集合物を基板１１に固定する機能も有する。さらには、繊維６２０の構成材料が硬度の高い材料である場合には、繊維層６２に柔軟性や伸縮性を付与することができるので、繊維６２０同士の固定が解除され難く、繊維層６２としての形状を維持し易い。そして、表示装置２０を湾曲させた場合にも、繊維層６２は形状追従性に富んだものとなる。
有機バインダーの構成材料としては、前述したのと同じものが用いられる。
【００５４】
また、繊維６２０は、導電性を有するものが好ましく用いられる。このような繊維６２０を用いることにより、繊維層６２の隅々まで電界が作用するため、繊維層６２全体において粒子Ａを確実に保持することができる。また、保持可能な粒子Ａの量も多くなるため、粒子Ａが呈する色が強調され易くなり、高コントラストの表示が可能になる。さらには、電界が繊維６２０に集中し、粒子Ａに作用させる電界強度をより大きくすることができるので、粒子Ａの泳動性（応答速度等）を高めることができる。
【００５５】
導電性を有する繊維６２０としては、繊維自体が導電性を有するものの他、繊維に導電性を有する被膜を形成したもの等が挙げられる。
ここで、粒状層６１と繊維層６２は、単に隣接していてもよいが、好ましくは両者が接着されているのが好ましい。両者が接着されていることにより、界面に隙間が生じ難くなり、隙間による表示不良の発生を抑制することができる。また、粒状層６１による補強機能がより強化されることとなる。
【００５６】
両者の接着は、粒状層６１と繊維層６２との固着、接着剤による接着等が挙げられる。このうち前者は、繊維層６２中の繊維６２０が粒状層６１中に食い込むことにより実現される。繊維６２０が食い込むことによりアンカー効果が発揮され、両者が強固に固着する。特に、繊維６２０が無機物繊維である場合には、繊維６２０の硬度が高く、この傾向が顕著になる。一方、後者は、粒状層６１中の有機バインダーおよび繊維層６２中の有機バインダーのいずれか一方または双方が両者の間に介在し、それにより接着が実現される。これらの方法によれば、粒状層６１と繊維層６２との間を特に強固に接着することができる。
【００５７】
また、繊維６２０が第１の電極３にも食い込むことにより、繊維層６２は基板１１に対しても強固に固定される。これにより、基板１１、１２間は、粒状層６１と繊維層６２とを介して強固に固定されることとなり、表示装置２０の表示特性の低下防止および機械的強度（剛性）の向上に寄与する。この場合、第１の電極３が炭素系材料や導電性高分子材料で構成されている場合には、繊維６２０と第１の電極３とがより強固に結合する。
さらには、繊維６２０は、壁部９１の上面にも接着・固定されているのが好ましい。これにより、表示装置２０の機械的強度をさらに高めることができる。壁部９１と繊維層６２との接着は、前述した粒状層６１と繊維層６２との接着と同様である。
【００５８】
（分散液）
ここで、分散液１００について説明する。
表示装置２０では、前述したように、表示層４００の外縁は前述したように壁部９１で囲われており、その内側空間内に分散液１００が充填されている。
分散液１００は、正に帯電し粒状層６１と異なる色相を有する粒子Ａを分散媒７に分散してなるものである。
【００５９】
粒子Ａが呈する色は、粒状層６１が呈する色と異なる色であれば特に限定されないが、粒状層６１が呈する色が淡色または白色である場合には、濃色または黒色であるのが好ましく、黒色であるのがより好ましい。これにより、コントラストの高い表示が可能になる。
粒子Ａには、電荷を有するものであれば、いかなるものをも用いることができ、例えば、酸化チタン、酸化亜鉛、酸化鉄、酸化クロム、酸化ジルコニウム等の酸化物系粒子や、窒化ケイ素、窒化チタン等の窒化物系粒子、硫化亜鉛等の硫化物系粒子、硼化チタン等の硼化物系粒子、クロム酸ストロンチウム、アルミン酸コバルト、亜クロム銅、ウルトラマリン等の無機顔料粒子、アゾ系、キナクリドン系、アントラキノン系、ジオキサジン系、ペリレン系等の有機顔料粒子等を用いることができる。また、アクリル系樹脂、ウレタン系樹脂、尿素系樹脂、エポキシ系樹脂、ポリスチレン、ポリエステル等で構成された樹脂粒子の表面に顔料を塗布した複合粒子を用いることもできる。
【００６０】
また、粒子Ａの平均粒子径は、特に限定されないが、好ましくは１０ｎｍ以上５００ｎｍ以下、より好ましくは２０ｎｍ以上３００ｎｍ以下である。粒子Ａの平均粒子径を前記範囲内に設定することにより、粒子Ａによる十分な色度の表示と粒子Ａの速やかな電気泳動とを両立することができる。その結果、高コントラストの表示と高い応答速度とを両立することができる。
なお、粒子Ａの平均粒子径は、動的光散乱式粒度分布測定装置（例えば、製品名：ＬＢ−５００、（株）堀場製作所製）で測定した体積平均粒子径を意味する。
【００６１】
分散媒７としては、沸点が１００℃以上に高く比較的高い絶縁性を有するものが好適に使用される。かかる分散媒７としては、例えば、各種水（例えば、蒸留水、純水等）、ブタノールやグリセリン等のアルコール類、ブチルセロソルブ等のセロソルブ類、酢酸ブチル等のエステル類、ジブチルケトン等のケトン類、ペンタン等の脂肪族炭化水素類（流動パラフィン）、シクロヘキサン等の脂環式炭化水素類、キシレン等の芳香族炭化水素類、塩化メチレン等のハロゲン化炭化水素類、ピリジン等の芳香族複素環類、アセトニトリル等のニトリル類、Ｎ，Ｎ−ジメチルホルムアミド等のアミド類、カルボン酸塩、シリコーンオイルまたはその他の各種油類等が挙げられ、これらを単独または混合物として用いることができる。
【００６２】
中でも、分散媒７としては、脂肪族炭化水素類（流動パラフィン）、またはシリコーンオイルを主成分とするものが好ましい。流動パラフィン、またはシリコーンオイルを主成分とする分散媒７は、粒子Ａの凝集抑制効果が高いことから好ましい。これにより、表示装置２０の表示性能が経時的に劣化するのをより確実に防止または抑制することができる。また、流動パラフィン、またはシリコーンオイルは、不飽和結合を有しないため耐候性に優れ、および安全性も高いという点からも好ましい。
なお、分散媒７は液体のものに限られず、気体であってもよい。この場合、空気の他、窒素ガス、アルゴンガスが充填される。
【００６３】
以上、表示装置２０の構成について説明したが、このような表示装置２０は、例えば次のようにして駆動する。なお、以下の説明では、図１に示す複数の第２の電極４のうち、１つについて電圧を印加した場合について説明する。
第１の電極３と第２の電極４との間に、第１の電極３が負電位、第２の電極４が正電位となる電圧を印加すると、当該電圧印加により発生した電界が表示層４００中の粒子Ａに作用する。すると、粒子Ａが第１の電極３側に泳動して集まる。これにより、図３（ａ）に示すように、表示面１１１には粒子Ａが呈する色、図３（ａ）の場合は黒色が表示される。
【００６４】
一方、第１の電極３が正電位、第２の電極４が負電位となる電圧を印加すると、当該電圧印加により発生した電界が表示層４００中の粒子Ａに作用する。すると、粒子Ａが第２の電極４側に泳動して集まる。これにより、図３（ｂ）に示すように、表示面１１１には粒状物６１０が呈する色、図３（ｂ）の場合は白色が主に表示される。
以上のような粒子Ａの駆動を画素ごとに行うことにより、表示面１１１には所望の画像を表示することができる。
【００６５】
≪表示装置の製造方法≫
次に、表示装置２０の製造方法について説明する。
表示装置２０の製造方法は、基板１１の上面に繊維層６２を成膜する工程と、基板１２の上面に粒状層６１を成膜する工程と、粒状層６１の粒状物６１０同士の隙間に分散液１００を供給する工程と、繊維層６２と粒状層６１とが接するように基板１１と基板１２とを重ね合わせて積層体を得る工程と、積層体を加熱しつつ厚さ方向に加圧することにより、繊維層６２と粒状層６１とを接着する工程と、を有している。以下、各工程について順次説明する。
【００６６】
［１］まず、図４（ａ）に示す基板１１を用意する。次いで、図４（ｂ）に示すように、基板１１の第１の電極３上に繊維層６２を形成する。繊維層６２の形成方法には、例えば、繊維６２０と有機バインダーとを揮発性分散媒に分散して分散液を調製し、これを第１の電極３上に塗布し、その後塗布膜を乾燥させる方法が用いられる。塗布方法としては、例えば、グラビアコート、コンマコート、リップコート、ダイコート、スクリーン印刷、インクジェット塗布等の各種塗布方法が用いられる。なお、繊維層６２の形成には、繊維６２０を寄せ集めてなる不織体をあらかじめ形成しておき、これを載置する方法も用いられる。
【００６７】
また、乾燥後に熱ロール処理等を施すようにしてもよい。熱ロール処理を施すと、塗布膜が発泡し、繊維層６２の密度が低下するため、発泡量を調整することにより繊維層６２の密度を制御することができる。特に減圧雰囲気下で処理することにより、塗布膜表面の発泡量がより多くなり、塗布膜上部の密度を相対的に低くすることができる。このようにして形成された繊維層６２には、密度の勾配が形成されることとなり、粒子Ａが繊維層６２内に進入したりあるいは繊維層６２内から脱出したりする移動がより円滑になる。さらには、繊維層６２の表面に繊維６２０が突出し易くなるため、繊維層６２と粒状層６１および壁部９１との固着がより顕著になる。
【００６８】
［２］次に、基板１２を用意し、その第２の電極４側の面に壁部９１を形成する（図４（ｃ）参照）。壁部９１の形成方法には、例えば、スクリーン印刷等の印刷法、成形型で凹凸を形成するインプリント法、フォトリソグラフィー法等が用いられる。
［３］次に、図４（ｄ）に示すように、壁部９１の内側に粒状層６１を形成する。粒状層６１の形成方法には、繊維層６２の形成と同様の方法が用いられる。この際、粒状層６１の厚さは、粒状層６１の上面が壁部９１の高さよりやや低くなるよう設定される。
【００６９】
［４］次に、図５（ｅ）に示すように、粒状層６１の粒状物６１０同士の隙間に分散液１００を供給し、壁部９１の内側空間に充填する。分散液１００の供給方法としては、特に限定されないが、液滴吐出法による供給、ディスペンサーを使用した供給等の方法が用いられる。
供給された分散液１００は、粒状層６１内の隙間に浸透し、保持される。これにより、粒状層６１からの漏れ出しが防止されることとなる。特に、壁部９１の表面に撥水処理が施されている場合には、この効果がより顕著となる。また、分散液１００は粒状層６１内の隙間に徐々に浸透するため、分散液１００中での気泡の発生が効果的に防止される。そのため、優れた表示特性を有する表示装置２０を製造することができる。
【００７０】
［５］次に、図５（ｆ）に示すように、粒状層６１と繊維層６２とが接するように基板１１と基板１２とを重ね合わせて積層体１３を得る。これにより繊維層６２は、充填された分散液１００内に浸されることとなる。そして、分散液１００は繊維層６２内の隙間に浸透し、保持される。このようにして表示層４００が得られる。
また、重ね合わせ作業に伴い、一部の分散液１００は壁部９１を越えて溢れ出す場合もあるが、余分な分散液１００は繊維層６２内の隙間を介して効率よく排出される。その結果。表示層４００内の圧力が増大するのを防止する。さらには、重ね合わせ作業に伴って分散液１００に気泡が巻き込まれた場合にも、繊維層６２内の隙間を介して気泡が効率よく排出される。その結果、表示層４００内に気泡が残留するのを防止する。
【００７１】
この重ね合わせ作業は、大気雰囲気下または減圧雰囲気下で、例えばロールラミネート装置を用いて行われる。
次いで、積層体１３を加熱しつつ、厚さ方向に加圧する。これにより、粒状層６１中に含まれる有機バインダーおよび繊維層６２中に含まれる有機バインダーが溶融し、粒状層６１と繊維層６２とを跨るように拡散する。その後、積層体１３を冷却することにより、有機バインダーが固化し、両者の接着が完了する。また、加圧に伴って繊維６２０が粒状層６１中に食い込む。その結果、アンカー効果に基づく両者の固着が完了する。すなわち、有機バインダーによる接着とアンカー効果に伴う固着とにより、粒状層６１と繊維層６２とは強固に固定される。
【００７２】
また、繊維層６２の縁部は壁部９１の上方にも及んでおり、加熱、加圧に伴って繊維層６２中の有機バインダーが壁部９１との間を接着するとともに、繊維６２０が壁部９１にも食い込んで繊維層６２と壁部９１とを固着させる。その結果、繊維層６２と壁部９１とが強固に固定される。
積層体１３の加熱温度としては、特に限定されないが、２５℃以上１２０℃以下程度であるのが好ましい。これにより、有機バインダーを溶融または軟化させ、接着機能を発現させるとともに、分散媒７の蒸発や壁部９１の軟化等を防止することができる。
【００７３】
［６］次に、図５（ｇ）に示すように、表示層４００の周囲に封止部５を形成する。これにより、表示装置２０が得られる。
封止部５の構成材料としては、熱可塑性または熱硬化性の樹脂材料が用いられることから、これらを軟化・溶融状態にしたものを塗布し、これを固化または硬化させることにより封止部５が形成される。塗布には、例えばシリンジディスペンサー等を用いることができる。
以上のような製造方法によれば、粒状層６１と繊維層６２の双方を備えており、表示特性と機械的強度とを両立した表示装置２０を効率よく製造することができる。
【００７４】
＜第２実施形態＞
次に、本発明の表示装置の第２実施形態について説明する。
図６は、本発明の表示装置の第２実施形態を示す断面図である。
以下、第２実施形態について説明するが、前述した実施形態との相違点を中心に説明し、同様の事項についてはその説明を省略する。なお、前述した実施形態と同様の構成には、同一の符号を付してある。
【００７５】
第２実施形態に係る表示装置２０は、壁部９１の内側空間をさらに複数の区画に区分けする壁部９２を備える以外、第１実施形態に係る表示装置２０と同様である。
すなわち、表示層４００には、複数の壁部９２がＹ方向に所定の間隔を隔てて設けられている。また、図示しないものの、表示層４００には、複数の壁部がＸ方向にも所定の間隔を隔てて設けられている。これにより、表示層４００は格子状に区分された画素区画が形成される。
【００７６】
各画素区画には、それぞれ第２の電極４が対応して配置されている。このため、第２の電極４に印加される電圧を適宜制御することにより、各画素区画が発する色を制御し、表示面１１１から視認される画像を自在に生成することができる。
このような壁部９２は、前述した壁部９１と同様の構造を有するものとされるが、平均幅については壁部９１より小さくてもよい。これにより、画素の開口率を高めることができる。
【００７７】
また、壁部９１と同様、壁部９２にも繊維層６２が接着され、さらには、壁部９２にも繊維６２０が食い込むように配置されているのが好ましい。これにより、壁部９２も表示装置２０の補強に寄与する。
また、図６に示すように、繊維層６２が壁部９２の上方にも及んでいることにより、この繊維層６２を介して各画素区画にある余分な分散液１００および残留した気泡を外部に排出することができる。その結果、表示特性に優れた信頼性の高い表示装置２０が得られる。
【００７８】
＜第３実施形態＞
次に、本発明の表示装置の第３実施形態について説明する。
図７は、本発明の表示装置の第３実施形態を示す断面図である。
以下、第３実施形態について説明するが、前述した実施形態との相違点を中心に説明し、同様の事項についてはその説明を省略する。なお、前述した実施形態と同様の構成には、同一の符号を付してある。
第３実施形態に係る表示装置２０は、粒状層６１と繊維層６２との界面近傍に設けられ、粒状物６１０と繊維６２０とが混在した混合領域６３を備える以外、第１実施形態に係る表示装置２０と同様である。
【００７９】
混合領域６３は、粒状物６１０と繊維６２０との混合物の集合体を含んでいる。このため、粒状層６１と繊維層６２とは混合領域６３全体で互いに強固に固定される。すなわち、繊維層６２が粒状層６１の表面のみでなく内部にも及ぶため、仮に粒状物６１０が厚さ方向に２個以上重なっている場合、表層以外にある粒状物６１０に対しても繊維６２０を食い込ませることができる。その結果、表示装置２０の表示特性低下のさらなる防止を図りつつ、機械的強度をより高めることができる。
混合領域６３における粒状物６１０と繊維６２０の合計の密度（占有率）は好ましくは６０体積％以上９９体積％以下、より好ましくは６５体積％以上９５体積％以下とされる。また、混合領域６３における粒状物６１０と繊維６２０との存在比は、体積比で２：８〜８：２程度とされる。これにより、前記効果がより顕著なものとなる。
【００８０】
＜第４実施形態＞
次に、本発明の表示装置の第４実施形態について説明する。
図８は、本発明の表示装置の第４実施形態を示す断面図である。
以下、第４実施形態について説明するが、前述した実施形態との相違点を中心に説明し、同様の事項についてはその説明を省略する。なお、前述した実施形態と同様の構成には、同一の符号を付してある。
【００８１】
第４実施形態に係る表示装置２０は、粒状層６１と基板１２との間に、繊維層６２とは別の繊維層（第２の繊維層）６４を設けるようにした以外、第１実施形態に係る表示装置２０と同様である。
繊維層６４は、基板１２の上面に設けられており、必要に応じて有機バインダー等を介して接着、固定されている。繊維層６４の構成は、繊維層６２と同様である。
【００８２】
このような繊維層６４を設けたことにより、基板１２側に集まった粒子Ａについても繊維層６４内で保持することができ、粒子Ａの自重による意図しない移動を抑制することができる。その結果、粒子Ａの偏在を防止し、表示画像の乱れを抑制することができる。
また、粒状層６１は２つの繊維層６２、６４で挟まれた状態となる。その結果、繊維層６２中の繊維６２０のみならず、繊維層６４中の繊維６４０も粒状層６１に食い込むこととなり、粒状層６１を両面から固定することができる。その結果、表示装置２０の表示特性低下のさらなる防止を図りつつ、さらに強固に補強することができる。
【００８３】
＜第５実施形態＞
次に、本発明の表示装置の第５実施形態について説明する。
図９は、本発明の表示装置の第５実施形態を示す断面図である。
以下、第５実施形態について説明するが、前述した実施形態との相違点を中心に説明し、同様の事項についてはその説明を省略する。なお、前述した実施形態と同様の構成には、同一の符号を付してある。
第５実施形態に係る表示装置２０は、隣り合う３つの画素区画に、それぞれ、黒色を呈する粒子Ａと所定の色に着色された粒子Ｙまたは粒子Ｍまたは粒子Ｃとが混在した分散液が充填されており、かつ、第２の電極４に代えて独立した２つの第２の電極４１、４２が設けられている以外、第２実施形態に係る表示装置２０と同様である。
【００８４】
図９に示す表示装置２０において、左側の画素区画には、黒色の粒子Ａと黄色（イエロー）に着色された粒子Ｙとが混在した分散液が充填されている。また、図９に示す中央の画素区画には、黒色の粒子Ａと赤色（マゼンタ）に着色された粒子Ｍとが混在した分散液が充填されている。さらに、図９に示す右側の画素区画には、黒色の粒子Ａと青色（シアン）に着色された粒子Ｃとが混在した分散液が充填されている。各着色粒子Ｙ、Ｍ、Ｃは、それぞれ負に帯電している。
【００８５】
また、各画素区画には、図６に示すような第２の電極４に代えて、互いに独立した２つの第２の電極４１、４２がそれぞれ設けられている。
ここで、各画素区画に設けられた第２の電極４１が負電位、第２の電極４２が正電位になるよう各電極に電圧を印加すると、図９（ａ）に示すように、粒子Ａは各第２の電極４１に、粒子Ｙ、Ｍ、Ｃはそれぞれ各第２の電極４２に集合する。この状態では、主に粒状層６１が呈する色が表示されることとなる。すなわち、各画素には白色が表示される。
【００８６】
次いで、３つの画素区画のうち、中央の画素区画については第２の電極４１が正電位になるように、かつ、右側の画素区画については第２の電極４２が負電位になるように、印加する電圧を変更する。これにより、中央の画素区画の第２の電極４１に集合していた粒子Ａは、図９（ｂ）に示すように第１の電極３側に移動し、この画素では粒子Ａが呈する色、すなわち黒色の表示に切り替わる。また、右側の画素区画の第２の電極４２に集合していた粒子Ｃも、第１の電極３側に移動し、この画素では粒子Ｃが呈する色、すなわち青色（シアン）の表示に切り替わる。
以上のようにして３つの画素でそれぞれ白色、黒色、黄色、赤色、青色を独立して表示可能になるため、本実施形態に係る表示装置２０は、いわゆるフルカラー表示が可能なものとなる。
【００８７】
＜第６実施形態＞
次に、本発明の表示装置の第６実施形態について説明する。
図１０、１１は、本発明の表示装置の第６実施形態の壁部を示す平面図である。
以下、第６実施形態について説明するが、前述した実施形態との相違点を中心に説明し、同様の事項についてはその説明を省略する。なお、前述した実施形態と同様の構成には、同一の符号を付してある。
【００８８】
第６実施形態に係る表示装置２０のうち、図１０に示す壁部９２は、その形状が異なる以外、第１実施形態と同様である。
図１０（ａ）に示す壁部９２は、平面視において格子状になっている。壁部９２で囲まれた領域が前述した画素区画に相当する。
図１０（ｂ）に示す壁部９２は、平面視において格子状になっており、かつ、Ｘ方向に伸びる壁部９２とＹ方向に伸びる壁部９２との交差部において、壁部９２が欠落するよう構成されている。このような欠落した箇所があることにより、この箇所から余分な分散液１００や残留した気泡を外部に放出することができる。その結果、表示特性に優れた信頼性の高い表示装置２０が得られる。
図１０（ｃ）に示す壁部９２は、平面視において画素区画が六角形になるようハニカム状になっている。
図１０（ｄ）に示す壁部９２は、Ｙ方向に伸びるもののみで構成されている。
【００８９】
一方、第６実施形態に係る表示装置２０のうち、図１１に示す壁部９２は、その形状が異なる以外、第５実施形態と同様である。
図１１（ａ）に示す壁部９２は、Ｙ方向に往復しながらＹ方向に延在しており、このような壁部９２が複数並列して設けられている。すなわち、各壁部９２は、蛇行しながらＸ方向に延在している。また、１つの壁部９２に隣接する壁部９２は、互いに線対称の関係を満たしている。これにより、隣り合う壁部９２間に設けられる画素空間は、略六角形をなすものとなる。
ここで、図１１（ａ）に示す記号Ｙ、Ｍ、Ｃは、それぞれ黄色（イエロー）、赤色（マゼンタ）、青色（シアン）の意味である。すなわち、記号Ｙ、Ｍ、Ｃが示す各画素区画に、それぞれ第５実施形態と同様の粒子Ｙ、Ｍ、Ｃを含む分散液を充填することにより、いわゆるフルカラー表示が可能な表示装置２０が得られる。
【００９０】
図１１（ｂ）に示す壁部９２は、Ｘ方向に伸びるもののみで構成されており、一方、図１１（ｃ）に示す壁部９２は、平面視において格子状をなしており、かつ、Ｙ方向に伸びる壁部９２のうち画素区画に臨む一部が欠落するよう構成されている。このような図１１（ｂ）および図１１（ｃ）に示す記号Ｙ、Ｍ、Ｃも、それぞれ図１１（ａ）の記号と同じ意味である。すなわち、図１１（ｂ）、（ｃ）に示す壁部９２を備えた表示装置２０によっても、いわゆるフルカラー表示が可能になる。
【００９１】
≪電子機器≫
以上説明したような表示装置２０は、それぞれ、各種電子機器に組み込むことができる。具体的な電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
これらの電子機器のうちから、電子ペーパーを例に挙げ、具体的に説明する。
【００９２】
図１２は、本発明の電子機器を電子ペーパーに適用した場合の実施形態を示す斜視図である。
図１２に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置２０で構成されている。
【００９３】
次に、本発明の電子機器をディスプレイに適用した場合の実施形態について説明する。
図１３は、本発明の電子機器をディスプレイに適用した場合の実施形態を示す図である。このうち、図１３中（ａ）は断面図、（ｂ）は平面図である。
図１３に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１２に示す構成と同様である。
【００９４】
本体部８０１は、その側部（図１３（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００９５】
また、本体部８０１の表示面側（図１３（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
また、電子ペーパー６００の挿入方向先端部（図１３（ａ）中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
【００９６】
このようなディスプレイ８００では、電子ペーパー６００は、本体部８０１に着脱自在に設置されており、本体部８０１から取り外した状態で携帯して使用することもできる。これにより、利便性が向上する。
以上、本発明の表示装置、表示装置の製造方法および電子機器を、図示の実施形態に基づいて説明したが、本発明は、これに限定されるものではなく、各部の構成は、同様の機能を有する任意の構成のものに置換することができる。また、本発明に、他の任意の構成物が付加されていてもよい。また、各実施形態を適宜組み合わせてもよい。
【符号の説明】
【００９７】
１‥‥基部  ２‥‥基部  ３‥‥第１の電極  ４、４１、４２‥‥第２の電極  ５‥‥封止部  ６１‥‥粒状層  ６１０‥‥粒状物  ６２、６４‥‥繊維層  ６２０、６４０‥‥繊維  ６３‥‥混合領域  ７‥‥分散媒  ９１、９２‥‥壁部  １００‥‥分散液  １１‥‥第１の基板  １２‥‥第２の基板  １１１‥‥表示面  １３‥‥積層体  ２０‥‥表示装置  ２１‥‥表示シート  ２２‥‥回路基板  ４００‥‥表示層  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部  Ａ、Ｙ、Ｍ、Ｃ‥‥粒子
【図１】
2013145313.tif 000003
【図２】
2013145313.tif 000004
【図３】
2013145313.tif 000005
【図４】
2013145313.tif 000006
【図５】
2013145313.tif 000007
【図６】
2013145313.tif 000008
【図７】
2013145313.tif 000009
【図８】
2013145313.tif 000010
【図９】
2013145313.tif 000011
【図１０】
2013145313.tif 000012
【図１１】
2013145313.tif 000013
【図１２】
2013145313.tif 000014
【図１３】
2013145313.tif 000015